(57)【要約】 【課題】  競技用ゴールポスト（５０）の設置位置に制約がなく、大きな力を要することなく、確実に競技用ゴールポスト（５０）の前方への転倒を防止できる競技用ゴールポストの転倒防止具を提供する。【解決手段】  ゴールポスト（５０）の後方の枠体（５１）を構成する後方フレーム（５１Ａ）にフック部（２ｂ）を掛止させる支持板（２）に、複数のウエイトブロック（４）を積層して載置する。後方フレーム（５１Ａ）に対してゴールポスト（５０）の転倒方向と逆方向に働くモーメントをウエイトブロック（４）の荷重で加え、転倒を防止する。複数個のウエイトブロック（４）を用いるので、大きな力を要することなく、ウエイトブロック（４）を持ち運び、所要箇所に転倒防止具を設置できる。【選択図】  図２
2005304731.tif 000002
【特許請求の範囲】
【請求項１】
一側に下方に向けて垂設されたフック部（２ｂ）が形成され、フック部（２ｂ）を、競技用ゴールポストの底面側でゴールポスト（５０）の後方の枠体（５１）を構成する後方フレーム（５１Ａ）に掛止自在とした支持板（２）と、
支持板（２）と地面の間に配置され、後方フレーム（５１Ａ）にフック部（２ｂ）を掛止した支持板（２）を水平に支持するスペーサブロック（３）と、
支持板（２）上に互いに積層して載置される複数のウエイトブロック（４）とからなり、
各ウエイトブロック（４）は、その下方に配置されたスペーサブロック（３）若しくは支持板（２）若しくはウエイトブロック（４）のいずれかの係合部（２ｃ、１１ａ）と水平方向で係合し、支持板（２）の鉛直方向に整列して積層されることを特徴とする競技用ゴールポストの転倒防止具。
【請求項２】
支持板（２）の中央部に、複数のウエイトブロック（４）を積層させた高さより高い係合柱部（２ｃ）が一体に立設され、各ウエイトブロック（４）に係合柱部（２ｃ）を遊挿させる貫通孔（４ａ）が穿設されていることを特徴とする請求項１記載の競技用ゴールポストの転倒防止具。
【請求項３】
平面と底面のいずれか一方の面に係合凸部（１１ａ）が、他方の面に係合凸部（１１ａ）と係合する係合凹部（１１ｂ）が、複数の各ウエイトブロック（１１）に同一形状で形成され、互いの対向面の係合凸部（１１ａ）と係合凹部（１１ｂ）を係合して積層されることを特徴とする請求項１に記載の競技用ゴールポストの転倒防止具。
【請求項４】
複数のウエイトブロック（１１）は、少なくとも２種類以上の厚みのウエイトブロック（１１）からなり、
後方フレーム（５１Ａ）の高さにほぼ等しい厚みのウエイトブロック（１１）を、スペーサブロック（３）とすることを特徴とする請求項１乃至請求項３のいずれか１項に記載の競技用ゴールポストの転倒防止具。
【発明の詳細な説明】
【技術分野】
【０００１】
本発明は、サッカー、バスケットなどのスポーツ競技に使用される競技用ゴールポストを設置した状態で起立支持する競技用ゴールポストの転倒防止具に関する。
【背景技術】
【０００２】
競技用ゴールポストは、鉄骨、金属パイプなどのフレームを立体的に組み立てた枠体に、サッカー、ハンドボールなどでは、枠体の前面を残して全体をネットで覆い、バスケットでは、枠体の前面上方に袋状のネットを支持して、構成される。
【０００３】
いずれのゴールポストも、枠体に所定の強度が求められるため、総重量は数１００Ｋｇ若しくは１ｔ以上となり、子供が不用意に上方に掛け渡されたフレームにぶら下がるなどにより、ゴールポストの全体が前方に転倒し下敷きになるという事故が絶えないものであった。
【０００４】
ゴールポストの後方若しくは側方への転倒は、同方向に回転ストッパーとなるフレームを張り出して形成することにより防止できるが、競技エリア側の前方への転倒は、競技のじゃまになるためにこのような回転ストッパーを前方へ突出させてることができず、前方への転倒について効果的な防止策がなかった。
【０００５】
そこで、従来、枠体の底面側で後方に配置されるフレームを、ペグ、アンカーなどで地面に固定し、前方への転倒を防止する方法が知られている（特許文献１）。
【０００６】
【特許文献１】特開２００３−１４４９５号公報（第３頁乃至第４頁、図１、図２）
【０００７】
図７は、この従来の競技用ゴールポストの転倒防止具１００を示すもので、地中に埋め込まれる筒状のアンカー１０１とアンカー１０１の筒内に嵌挿自在の固定具１０２とから構成され、固定具１０２の上端にフック部１０３が一体に連設されている。
【０００８】
図８に示すように、この転倒防止具１００は、競技用ゴールポスト１１０の設置に複数組が用いられ、競技用ゴールポスト１１０を設置する予定の場所で、競技用ゴールポスト１１０の底面側の枠体を構成する後方フレーム１１１と側方フレーム１１２の周辺に予め複数のアンカー１０１が傾斜した状態で埋め込まれている。
【０００９】
競技でこのゴールポスト１１０を使用する場合には、アンカー１０１が埋め込まれた設置位置にゴールポスト１１０を起立させ、フック部１０３を後方フレーム１１１若しくは側方フレーム１１２へ掛止させながら、対となるアンカー１０１内に固定具１０２を挿入する。
【００１０】
アンカー１０１が地中に傾斜して埋め込まれるので、挿入された固定具１０２は、アンカー１０１から抜けにくく、競技用ゴールポスト１１０が前方に傾斜し転倒する危険が生じても、フック部１０３で後方フレーム１１１と側方フレーム１１２を支持するので、転倒を防止できる。
【００１１】
また、固定具１０２は、アンカー１０１に対して簡単に挿抜できるので、後方フレーム１１１をアンカー１０１に対して簡単に拘束でき、また、競技用ゴールポスト１１０の使用が終了し、他へ移動させる場合に、アンカー１０１から固定具１０２を容易に引き抜き、アンカー１０１との拘束を解くことかできる。
【発明の開示】
【発明が解決しようとする課題】
【００１２】
この従来の競技用ゴールポストの転倒防止具１００では、競技用ゴールポスト１１０を移動させる際に、簡単に地中に埋められたアンカー１０１から容易に固定具１０２を引き抜くことを可能としたものであるが、これにより、後方フレーム１１１をフック部１０３で支持している際にも、固定具１０２が抜け出やすく、子供がぶら下がるなどで競技用ゴールポスト１１０に前方へ回転しようとする大きな回転モーメントが発生した場合には、固定具１０２がアンカー１０１から引き抜かれたり、アンカー１０１自体が変形し地中から引き抜かれるなどとなって、競技用ゴールポスト１１０の転倒を完全に防止するまでには至らないものであった。
【００１３】
また、予め競技用ゴールポスト１１０を設置する位置に複数のアンカー１０１を埋め込んでおく必要があるため、その設置位置が限られるとともに、不使用時には競技場にアンカー１０１による孔が開口しているのは危険であるため、その開口をキャップなどで覆う手間も必要となっていた。
【００１４】
他の方法として、競技用ゴールポスト１１０を設置する毎に、その後方フレーム１１１に沿ってペグを打ち込み固定する方法も実施されているが、競技用ゴールポスト１１０を使用する都度、複数のペグを打ち込み、また終了後に移動のためにペグを引き抜くのは大変な労力を要するものであった。特に、打ち込んだペグの引き抜きには、子供では引き抜くことができい大きな力を要し、小、中学校ではその手間からペグの打ち込みを省き、転倒による事故を招く原因となっていた。
【００１５】
本発明は、このような従来の問題点を考慮してなされたものであり、競技用ゴールポストの設置位置に制約がなく、しかも確実に競技用ゴールポストの前方への転倒を防止できる競技用ゴールポストの転倒防止具を提供することを目的とする。
【００１６】
また、大きな力を要することなく、後方フレームを拘束し、競技用ゴールポストの前方への転倒を防止できる競技用ゴールポストの転倒防止具を提供することを目的とする。
【課題を解決するための手段】
【００１７】
上述の目的を達成するため、請求項１の競技用ゴールポストの転倒防止具は、一側に下方に向けて垂設されたフック部が形成され、フック部を、競技用ゴールポストの底面側でゴールポストの後方の枠体を構成する後方フレームに掛止自在とした支持板と、支持板と地面の間に配置され、後方フレームにフック部を掛止した支持板を水平に支持するスペーサブロックと、支持板上に互いに積層して載置される複数のウエイトブロックとからなり、各ウエイトブロックは、その下方に配置されたスペーサブロック若しくは支持板若しくはウエイトブロックのいずれかの係合部と水平方向で係合し、支持板の鉛直方向に整列して積層されることを特徴とする。
【００１８】
後方フレームにフック部を掛止した支持板に、複数のウエイトブロックが積層されると、ウエイトブロックの荷重の一部が支持板を介して後方フレームに下方向に加えられ、後方フレームの上方への浮き上がりが規制される。その結果、競技用ゴールポストへ前方に転倒する方向のモーメントが不用意に加わっても、ウエイトブロックの荷重が逆方向に働き、転倒が防止される。
【００１９】
支持板は、スペーサブロックにより水平に支持され、また、支持板上に積層される複数のウエイトブロックは、その下方の部材と水平方向で係合するので、積み重ねてもその一部が脱落することがなく、複数のウエイトブロックの荷重が分散することなく支持板に鉛直方向に働く。
【００２０】
請求項２の競技用ゴールポストの転倒防止具は、支持板の中央部に、複数のウエイトブロックを積層させた高さより高い係合柱部が一体に立設され、各ウエイトブロックに係合柱部を遊挿させる貫通孔が穿設されていることを特徴とする。
【００２１】
係合柱部に複数のウエイトブロックの貫通孔を遊挿させるので、積層した複数のウエイトブロックが傾斜して落下することがなく、支持板の中央部に確実にその荷重の合力をが加えることができる。
【００２２】
また、請求項３の競技用ゴールポストの転倒防止具は、平面と底面のいずれか一方の面に係合凸部が、他方の面に係合凸部と係合する係合凹部が、複数の各ウエイトブロックに同一形状で形成され、互いの対向面の係合凸部と係合凹部を係合して積層されることを特徴とする。
【００２３】
積層した上下のウエイトブロックが互いに係合するので、積層したウエイトブロックが傾斜して落下することがない。
【００２４】
また、請求項４の競技用ゴールポストの転倒防止具は、複数のウエイトブロックは、少なくとも２種類以上の厚みのウエイトブロックからなり、後方フレームの高さにほぼ等しい厚みのウエイトブロックを、スペーサブロックとすることを特徴とする。
【００２５】
後方フレームが異なる高さであっても、複数のウエイトブロックからその高さに略等しい厚みのウエイトブロックをスペーサブロックとして用い、支持板を水平に支持することができる。
【発明の効果】
【００２６】
請求項１の発明によれば、複数のウエイトブロックの荷重から、前方への転倒方向と逆方向のモーメントを得るので、軽量のウエイトブロックを分散して移動し、若しくは支持板上に積層させることができるので、競技用ゴールポストの設置位置を移動しても、その設置位置に転倒防止具を簡単に設置することができ、また、使用後は転倒防止具の設置をを簡単に解除できる。
【００２７】
従って、学校教育では、多くの子供が各ウエイトブロックを分散して運び、設置若しくは設置の解除が可能となり、競技用ゴールポストに対する転倒防止対策を確実に実行できる。
【００２８】
後方フレームから前方のゴールポスト内には、フック部のみが配置されるので、競技の支障にならない。
【００２９】
これに加えて請求項３の発明によれば、複数のウエイトブロックの係合部の形状を同一形状とするので、同一の型を用いて量産することができる。
【００３０】
これに加えて請求項４の発明によれば、ウエイトブロックのいずれかをスペーサブロックに兼ねるので、スペーサブロックを別に用意する必要がない。
【００３１】
また、異なる競技用ゴールポストで後方フレームの高さが異なるものであっても、支持板を平行に支持することできる。
【発明を実施するための最良の形態】
【００３２】
以下、本発明の第１実施の形態に係る競技用ゴールポストの転倒防止具１を、図１乃至図４で説明する。本実施の形態に係る転倒防止具１は、図１に示すサッカー競技に使用されるゴールポスト５０の前方（図２において右方向）への転倒を防止するもので、支持板２と、スペーサブロック３と、４個のウエイトブロック４からなっている。
【００３３】
支持板２は、鉄、ステンレス、プラスチックなどから形成した剛板で、本実施の形態では鉄板を用いている。支持板２の後方側は、一辺が４０ｃｍの正方形基板２ａとなり、同形状の輪郭のウエイトブロック４をその上方に積層自在としている。基板２ａから前方側は、図２と図４に示すように、基板２ａより細幅でその先端が下方に向かって直角に折り曲げられたフック部２ｂとなっている。フック部２ｂの前後方向の長さは、後述するゴールポスト５０側の後方フレーム５１Ａの前後方向の幅よりわずかに長いものとなっている。
【００３４】
また、基板２ａの略中央には、円柱状の係合柱部２ｃが基板２ａを上下に貫通して鉛直方向に支持されている。この係合柱部２ｃは、基板２ａの略中央に穿設した円形の取り付け孔に挿通した後、その周囲を基板２ａに溶接して、基板２ａと一体としている。
【００３５】
支持板２の下方に配置されるスペーサブロック３は、基板２ａと同一の正方形輪郭の板状ブロックで、その厚さは、後方フレーム５１Ａの高さとほぼ同一となっている。これにより、後方フレーム５１Ａに掛け渡した支持板２を、水平に支持している。スペーサブロック３は、ここでは、ゴムなどの弾性体で形成しているが、ウエイトブロック４の加重で大きく変形するものでなければ、種々の材料で形成することができる。
【００３６】
スペーサブロック３の中央には、支持板２から下方に突出する係合柱部２ｃを遊嵌する挿通孔３ａが穿設され、係合柱部２ｃを挿通孔３ａに挿通させることにより、スペーサブロック３上で支持板２が水平方向に位置決めされる。
【００３７】
支持板２の基板２ａ上方に配置されるウエイトブロック４も、基板２ａ、スペーサブロック３と同一の正方形輪郭の板状ブロックで、４個のウエイトブロック４がコンクリートでそれぞれ同一形状に形成されている。これにより、ウエイトブロック４を形成する型枠を共用し、任意数のウエイトブロック４を安価に量産できる。一組の転倒防止具１に用いられるウエイトブロック４の個数は、１個あたりのウエイトブロック４の自重、ゴールポスト５０の荷重、形状等からゴールポスト５０の前方側への転倒を防止するのに充分な数を用い、多数のウエイトブロック４からゴールポスト毎に必要数を選択することにより、他種類のゴールポストの転倒を防止することができる。ウエイトブロック４についても、コンクリートの他、種々の材料で形成することができる。
【００３８】
ウエイトブロック４の中央には、支持板２から上方に起立する係合柱部２ｃを遊嵌する貫通孔４ａが穿設され、ウエイトブロック４の貫通孔４ａに係合柱部２ｃを挿通させながら、各ウエイトブロック４を積層させることにより、支持板２上に積層される多数のウエイトブロック４が支持板２に対して水平方向に位置決めされ、整列して鉛直方向に積層されるので崩れることがない。
【００３９】
また、ウエイトブロック４の左右の側面には、成形の際に一体に取っ手５、５が取り付けられ、ウエイトブロック４の持ち運びを容易にしている。
【００４０】
この転倒防止具１をゴールポスト５０の転倒防止の為に設置する場合には、始めにゴールポスト５０の底面側でゴールポスト５０の枠体を構成するフレーム５１の内、図２、図３に示す後方フレーム５１Ａに対し、その後方にスペーサブロック３を配置する。
【００４１】
続いて、フレーム５１を覆うゴールネット５２の編み目の隙間、若しくはゴールネット５２と後方フレーム５１Ａの隙間へ、後方から支持板２のフック部２ｂをフレーム５１内に通し、係合柱部２ｃをスペーサブロック３の挿通孔３ａへ挿通させて、支持板２をスペーサブロック３上に配置する。この状態で、図２に示すように、支持板２は、フック部２ｂが後方フレーム５１Ａに掛止し、全体が水平に支持される。
【００４２】
その後、図４に示すように、分離しているウエイトブロック４を１個ごとに、貫通孔４ａに係合柱部２ｃを挿通させながら支持板２上に載置し、必要個数のウエイトブロック４を積層させ、転倒防止具１の設置が完了する。
【００４３】
転倒防止具１を設置した状態では、積層させたウエイトブロック４の総荷重の一部が、フック部２ｂを介して後方フレーム５１Ａに下方向に働き、ゴールポスト５０の前方への転倒が防止される。
【００４４】
更に、ゴールポスト５０が転倒しようとして後方フレーム５１Ａがわずかに浮き上がっても、フック部２ｂが後方フレーム５１Ａに掛止しているので、後方フレーム５１Ａから外れにくい。また、この転倒防止具１は、フック部２ｂの一部がフレーム５１内に挿入されるだけなので、競技のじゃまにならない。
【００４５】
ゴールポスト５０を移動させるために、転倒防止具１の設置を解除する場合には、上述と逆の手順で、積層された上方のウエイトブロック４から最下段のスペーサブロック３を順に取り除く。
【００４６】
本実施の形態では、図１に示すように、一組の転倒防止具１、１を後方フレーム５１Ａの上述の方法で２カ所の位置に設置し、必要個数のウエイトブロック４を一組の転倒防止具１、１に分散させている。
【００４７】
この第１の実施の形態によれば、支持板２に起立させた係合柱部２ｃに、全てのウエイトブロック４の貫通孔４ａを係合させ、水平方向の位置決めを行っているが、積層する上下のウエイトブロック間を水平方向で係合させてもよい。
【００４８】
図５と図６は、この第２の実施の形態に係る転倒防止具１０を示すもので、第１実施の形態と同一構成については、同一の番号を付してその説明を省略する。
【００４９】
転倒防止具１０を構成する複数のウエイトブロック１１は、コンクリートで形成した同一の正方形輪郭の板状ブロックで、その各平面に共通して四角柱の係合凸部１１ａが、各底面に共通して係合凸部１１ａと嵌合する係合凹部１１ｂが凹設されている。しかしながら、各ウエイトブロック１１の厚みは、図５，図６に示すように、個々に異なるものとなっている。
【００５０】
また、支持板２の基板２ａには、係合柱部２ｃに代えて、係合凸部１１ａを貫通させる正方形の角孔２ｄが穿設され、係合凸部１１ａの高さは、基板２ａの厚みより高いものとなっている。
【００５１】
このようにウエイトブロック４と支持板２を構成することにより、後方フレーム５１Ａの高さにほぼ等しい厚さのウエイトブロック１１を選択し、支持板２と接地面との間に配置すれば、選択したウエイトブロック１１を、支持板２を水平に支持するスペーサブロック３とすることができ、異なるゴールポストで後方フレーム５１Ａの高さが異なるものであっても、同一の転倒防止具１０を用いて転倒を防止できる。
【００５２】
スペーサブロック３となるウエイトブロック１１の上方に、係合凸部１１ａを角孔２ｄへ貫通させながら支持板２を載置すると、支持板２は水平方向に係合して位置決めされるとともに、図６に示すように、係合凸部１１ａが支持板２上に突出する。
【００５３】
従って、この支持板２上に突出する係合凸部１１ａを底面の係合凹部１１ｂに嵌合させながら、支持板２上にウエイトブロック４を載置すると、スペーサブロック３とウエイトブロック４が水平方向で係合する。
【００５４】
同様にして、ウエイトブロック４上に更に必要数のウエイトブロック４を積層すれば、上下で積層される任意に選択した２個のウエイトブロック１１、１１間は、上段側の係合凹部１１ｂに下段側の係合凸部１１ａが嵌合するので、相互に水平方向に係合し、多段に重ねても倒れることがない。
【００５５】
以上の実施の形態では、１個のウエイトブロック４、１１を、子供でも持ち運びすることができる程度の軽量とすることができるので、学校教育などで多人数の子供が手分けして転倒防止具１の設置及び設置の解除を行うことができる。
【００５６】
上述の実施の形態は、鉄板を折り曲げてフック部２ｂとしたが、後方フレーム５１Ａに掛止できる形状であれば、支持板の背面の前方側の厚みを厚くする等任意の方法でフック部を形成するものであってもよい。
【００５７】
また、ウエイトブロックと係合する係合部の形状は、上述実施の形態に限らず、積層したウエイトブロックが崩れないように水平方向に位置決めできるものであれば、任意の形状とすることができる。
【産業上の利用可能性】
【００５８】
本発明は、競技用ゴールポストと共に用いて、ゴールポストを設置した状態に支持する転倒防止具に適している。
【図面の簡単な説明】
【００５９】
【図１】本発明の第１実施の形態に係る競技用ゴールポストの転倒防止具１を設置した状態を示す斜視図である。
【図２】転倒防止具１を設置した状態を示す拡大縦断面図である。
【図３】転倒防止具１を設置した状態を示す平面図である。
【図４】転倒防止具１の組立状態を示す部分省略分解斜視図である。
【図５】本発明の第２実施の形態に係る転倒防止具１０を設置した状態を示す拡大縦断面図である。
【図６】転倒防止具１０の組立状態を示す部分省略分解斜視図である。
【図７】従来の競技用ゴールポストの転倒防止具１００を示す拡大縦断面図である。
【図８】従来の競技用ゴールポストの転倒防止具１００を設置した状態を示す斜視図である。
【００６０】
１、１０    競技用ゴールポストの転倒防止具
２          支持板
２ｃ        係合柱部（係合部）
３          スペーサブロック
４、１１    ウエイトブロック
１１ａ      係合凸部（係合部）
【図１】
2005304731.tif 000003
【図２】
2005304731.tif 000004
【図３】
2005304731.tif 000005
【図４】
2005304731.tif 000006
【図５】
2005304731.tif 000007
【図６】
2005304731.tif 000008
【図７】
2005304731.tif 000009
【図８】
2005304731.tif 000010